(57)【特許請求の範囲】
【請求項１】
床面設置の自動販売機の内部で発生した騒音が基台を通して外方に漏れるのを低減するための吸音アタッチメントであって、基台の下面にレベル調節ネジを避けて設けられる、基台の輪郭に対応する形状と寸法の吸音機能をもつ平板状主部材と；折り曲げられた板状部材で、吸音帯板を保持するためのコ字形の保持部、全体を基台に取り付けるための舌状の取付部からなり、前記主部材と基台との合わせ目を覆う形で、基台の前面側から両方の各側面側にかけて付設されるＵ字形副部材と；を備えることを特徴とする自動販売機の吸音アタッチメント。
【請求項２】
請求項１に記載の吸音アタッチメントにおいて、主部材は、レベル調節ネジを避けて基台の輪郭に対応する形状と寸法の平板状吸音部材と、その全外周に被覆されて基台側だけに多数個の穴があけられたプラスチック膜とを備えることを特徴とする自動販売機の吸音アタッチメント。
【発明の詳細な説明】
【０００１】
【発明の属する技術分野】
この発明は、床面設置の自動販売機の内部で発生した騒音が基台を通して外方に漏れるのを低減するための自動販売機の吸音アタッチメントに関する。
【０００２】
【従来の技術】
実開平２−５５３８６号公報に記載の考案によれば、自動販売機の内部に、垂直な側板で挟む形をとりその間に商品を収納するとともに、指令に基づいて収納商品を搬出することができる商品棚を配設する構成をとるとき、商品の搬送時に側板が振動し騒音を発するから、側板と接して緩衝部材を付設することで、側板の騒音を減衰させることができる。なお、一般に自動販売機では、図５を参照しながら詳しく後述するように、内部箱体を構成する内箱と外箱の間のに断熱材を充填して箱体内部を包囲する形をとるから、断熱効果と同時に多少の遮音効果をもたせることができる。
【０００３】
図５に示した従来一般の自動販売機の側断面図において、左側がそれぞれ開口した外箱１１と内箱１２の間に断熱材１３が充填され、開口を閉鎖する形の内扉１４の内部にも符号を付けてない断熱材が充填される。正面扉１５には、商品展示部や商品選択キーなどが設けられる。商品収納棚１９は屈曲しながら垂直方向に伸びる空間として前後方向（図で左右方向）に４個が並列して形成され、その中に円筒状商品１０が軸線を水平にして積み重ねて収納されるとともに下側から払い出されるごとに順次下方に送られる。各商品収納棚１９の下部には、販売指令に基づいて商品１０を払い出すための払出し機構２７が設けられる。払い出された商品１０はシュート１６に沿って落下して内扉１４の下方に連接するフラップ扉１７を押し開き、取り出し口１８に送出される。さて、自動販売機の内部を適温にするために、選択的に作動する冷却器２３と加熱器としてのヒータ２４、空気循環用のファン２８、および図示してない温度調節装置が設置される。さらに、自動販売機の底部に機械室２９があり、ここに冷凍用の圧縮機２１や凝縮器２２、空冷用のファン２７が設置される。自動販売機の底板である基台７には、その下面の４隅にレベル調節ネジ８が配設される。
【０００４】
【発明が解決しようとする課題】
以上に述べたように、とくに実開平２−５５３８６号公報に記載の考案によれば、特定の商品棚での商品の搬送時に側板が発する振動・騒音に対しては、側板と接して緩衝部材を付設することで抑えることができ、加えて従来一般の自動販売機では、外方への騒音の漏れに対して、内箱と外箱の間に充填された断熱材と内扉内部に充填された断熱材によって多少は抑えることができる。しかし、自動販売機はその底部つまり基台の上方に機械室を備え、ここに冷凍用の圧縮機や凝縮器、ファンなどを格納する。したがって、機械室の回転機器からの振動や騒音が基台を通して外方に漏れるのを低減する必要がある。しかも、回転機器には、もともとその歯車や、軸受、据付けの基礎などにある程度の制振・吸音のための考慮が払われていることが多いから、新たに講じる吸音対策は本格的なものよりも、必要に応じて付設可能な形にする、つまり着脱可能なアタッチメントの形にするのが実用的である。
【０００５】
この発明が解決しようとする課題は、従来の技術がもつ以上の問題点を解消して、床面設置の自動販売機の内部で発生した騒音が基台を通して外方に漏れるのを低減するための自動販売機の吸音アタッチメントを提供することにある。
【０００６】
【課題を解決するための手段】
この発明は、床面設置の自動販売機の内部で発生した騒音が基台を通して外部に漏れるのを低減するための吸音アタッチメントであって、基台の下面にレベル調節ネジを避けて設けられる、基台の輪郭に対応する形状と寸法の吸音機能をもつ平板状主部材と；折り曲げられた板状部材で、吸音帯板を保持するためのコ字形の保持部、全体を基台に取り付けるための舌状の取付部からなり、前記主部材と基台との合わせ目を覆う形で、基台の前面側から両方の各側面側にかけて付設されるＵ字形副部材と；を備える、という構成である。
【０００７】
また、この発明は、主部材が、レベル調節ネジを避けて基台の輪郭に対応する形状と寸法の平板状吸音部材と、その全外周に被覆されて基台側だけに多数個の穴があけられたプラスチック膜とを備える構成にするのが好ましい。
【０００８】
したがって、この発明では、床面設置の自動販売機の内部で発生した騒音が基台を通して下方に漏れるのを主部材によって、また基台を通して側方に漏れるのを副部材によって、それぞれ吸収し低減することができる。
【０００９】
【発明の実施の形態】
この発明の実施の形態として、実施例（吸音アタッチメント）を以下に図を参照しながら説明する。図１は実施例を付設した自動販売機の斜視図である。図１において、自動販売機９の基台７には、ここでは図示してないが、下面に吸音用の平板状の主部材１が設けられ（図２参照）、その合わせ目を覆う形で、基台７の前面側から両方の各側面側にかけてＵ字形をなすように、吸音用の帯板状の各副部材４Ａ，４Ｂがそれぞれ基台７に対してネジ固定される（詳細な構造は後述する）。
【００１０】
図２は実施例を付設した自動販売機の側面図で、これを参照しながら若干、補足的に説明すると、主部材１は基台７の下面の四隅に設けられたレベル調節ネジ８を避ける形状をとる（図３参照）。各副部材４Ａ，４Ｂはそれぞれ実線，一点鎖線で示したように前面と左右の各側面だけに設けられ、背面には設けられないが、これは設置のとき背面側の壁面に邪魔にならないようにするためである。したがって、床面設置の自動販売機９の内部で発生した騒音が基台８を通して下方に漏れるのを主部材１によって、また基台８を通して左右の各側方に漏れるのを各副部材４Ａ，４Ｂによって、それぞれ吸収し低減することができる。
【００１１】
主部材１と各副部材４Ａ，４Ｂについて詳しく説明する。図３は主部材の斜視図、図４は副部材の斜視図である。図３において、主部材１は、４隅をレベル調節ネジ８（図２参照）を避けて円弧状に切り欠いた、基台７の輪郭に対応する形状と寸法の吸音平板２を主要部とし、その全外周が塩化ビニールなどのプラスチック膜３で被覆されている。なお、このプラスチック膜３は、基台７の側（図の上面）だけに多数個の穴３ａがあけられる。ここで、吸音平板２は、グラスウールやフェルト、発泡スチロールなどの多孔質材料（連続気泡材料）の吸音材料からなる方形平板で、前述のように４隅を円弧状に切り欠いてレベル調節ネジ８を避ける形状をとっている（図２参照）。自動販売機内部で発生した騒音は、上方から吸音平板２に入射して内部を伝わるとき吸収、つまり吸音される。この騒音の吸収つまり吸音は、音波が気泡と材料実質の間の境界面で反射・進入を繰り返しながら主に粘性と熱伝導によってエネルギーを失うことによる。また、プラスチック膜３は、吸音平板２を機械的に保護するための、いわば表面処理部材で、前面と各側面が後述するように各副部材４Ａ，４Ｂによって囲まれるので、コーティングするか貼る付ける等の簡単な構造をとっている。プラスチック膜３の上面にあけた多数個の穴３ａは、騒音を吸音平板２に導入し吸収させるための開口である。
【００１２】
図４において、副部材４は、前面用と各側面用の各副部材４Ａ，４Ｂを共通表示してあるが、吸音帯板５と枠６からなる。吸音帯板５は、多孔質材料（連続気泡材料）の吸音材料からなる帯板状の部材である。枠６は折り曲げられた板状部材で、吸音帯板５を保持するためのコ字形の保持部６ｕと、全体を基台７に取り付けるためのネジ挿入用スリット６ｗの２個を有する舌状の取付部６ｖとからなる。副部材４を、主部材１の外周を前面側と各側面側から包囲する一体形のＵ字状に構成する代わりに、このように前面用と左右の各側面用の３個の分割ユニットの形式をとった理由は、それ自体の構造を簡単にし、標準化しやすくしてコスト低減を図ることにある。
【００１３】
【発明の効果】
この発明によれば、次のような効果が期待できる。
(1) 床面設置の自動販売機の内部で発生した騒音が基台を通して下方に漏れるのを主部材によって、また基台を通して前方と左右の各側方に漏れるのを副部材によって、それぞれ吸収し低減するから、騒音が基台を通して外方に漏れて近くを通る人や顧客に対して不快な感じを与えることが防止され、ひいては自動販売機の売上高向上につながる。
【００１４】
(2) 全体として構造が簡単であるから、製作しやすくコスト低減が図れ、とくに副部材が前面用と左右の各側面用の３個のユニットからなる分割形式をとるときには、加えて標準化しやすくなるから、Ｕ字の一体形のときに比べてさらなるコスト低減が図れる。
(3) 既設の自動販売機にも騒音状況に応じて追加付設でき、また新設の場合に騒音が問題にならない状況なら省略することができるから、実情に応じて柔軟な対策がとれて、吸音改善とコスト低減を図ることができる。
【図面の簡単な説明】
【図１】この発明に係る実施例（吸音アタッチメント）を付設した自動販売機の斜視図
【図２】実施例を付設した自動販売機の側面図
【図３】実施例における主部材の斜視図
【図４】実施例における副部材の斜視図
【図５】従来一般の自動販売機の側断面図
【符号の説明】
１    主部材
２    吸音平板
３    プラスチック膜
３ａ  穴
４    副部材
４Ａ，４Ｂ  副部材（前面用，側面用）
５    吸音帯板
６    枠
６ｕ  保持部
６ｖ  取付部
６ｗ  スリット
７    基台
８    レベル調節ネジ
９    自動販売機（従来一般の）
【図１】
0003758254.tif 000002
【図２】
0003758254.tif 000003
【図３】
0003758254.tif 000004
【図４】
0003758254.tif 000005
【図５】
0003758254.tif 000006